(57)【特許請求の範囲】
【請求項１】
回路遮断器の筐体の操作盤に、電動操作モードと手動操作モードとを選択的に切り換える切換レバーを設け、前記電動操作モード時駆動モータの駆動力で前記回路遮断器を開閉路操作し、前記手動操作モード時手動操作ハンドルの駆動力で回路遮断器を開閉路操作する回路遮断器の電動操作装置であって、前記切換レバーを前記電動操作モードに対応する電動操作モード位置と、前記手動操作モードに対応する手動操作モード位置とに亘って移動するように形成する一方、前記切換レバーが前記手動操作モード位置にあるとき前記手動操作ハンドルの操作は許容されるが、前記電動操作モード位置にあるとき前記手動操作ハンドルに係合して該手動操作ハンドルの操作を拘束する阻止部を前記切換レバーに設けたことを特徴とする回路遮断器の電動操作装置。
【請求項２】
前記操作盤に、前記手動操作モード時において前記回路遮断器を閉路させるＯＮボタンと、前記回路遮断器を開路させるＴＲＩＰボタンとを設けると共に、前記切換レバーを前記電動操作モードに切り替えたとき、前記ＯＮボタンおよび前記ＴＲＩＰボタンに係合して該ＯＮボタンおよび該ＴＲＩＰボタンの操作を拘束する第一係合部および第二係合部を前記切換レバーに設けたことを特徴とする請求項１記載の回路遮断器の電動操作装置。
【請求項３】
前記切換レバーに、該切換レバーの切換操作時に操作する操作つまみと、前記阻止部と、前記第一係合部と、前記第二係合部とを一体的に形成したことを特徴とする請求項２記載の回路遮断器の電動操作装置。
【請求項４】
前記切換レバーの近傍に、該切換レバーの移動に応動して前記駆動モータへの電流供給を制御する切換スイッチを設け、前記切換レバーが前記電動操作モード位置にあるとき前記駆動モータへの電流供給をし、前記手動操作モード位置にあるとき前記駆動モータへの電流供給をしないことを特徴とする請求項１乃至３のいずれか記載の回路遮断器の電動操作装置。
【請求項５】
前記手動操作ハンドルは、蓄圧手段を作動する蓄圧手段作動軸に設けられた第一リンクと、該第一リンクに枢着され常時前記電動操作装置筐体に格納される方向に付勢するバネを介して設けた第二リンクとで形成され、前記手動操作ハンドル操作時、前記第一リンクは前記バネの付勢力に抗して前記第二リンクに係合するまで回動される第一回動範囲と、前記第二リンクと一体になって前記蓄圧手段作動軸を駆動させる第二回動範囲とに亘って回動されるように形成したことを特徴とする請求項１乃至４のいずれか記載の回路遮断器の電動操作装置。
【発明の詳細な説明】
【０００１】
【発明の属する技術分野】
本発明は、回路遮断器の回路遮断を行う操作トッテを電動操作または手動操作で切り換える回路遮断器の電動操作装置に関するものである。
【０００２】
【従来の技術】
一般に、短絡電流のような故障電流が過電流となって電気回路を流れるのを遮断する装置として回路遮断器があり、かかる回路遮断器の回路遮断は回路遮断器に付設された電動操作装置により行われる。
【０００３】
かかる回路遮断器の電動操作装置としては、例えば図８および図９に示される特開平６−２５１６８７号公報記載のもの（以下「従来装置」という）が知られている。図８および図９において、１は駆動モータ２を具えた電動操作装置、３は手動操作モードまたは電動操作モードの選択を行う切換レバーで、矢印Ｂ１またはＢ２方向（図の左右方向）にスライドすることにより切換スイッチ４が切り換えられる。すなわち、切換レバー３を矢印Ｂ２方向にスライドした電動操作モード時には、駆動モータ２に電流が供給され、矢印Ｂ１方向にスライドした手動操作モード時には、駆動モータ２への電流供給が停止される。
【０００４】
５は、手動で回路遮断器を開路させるための手動操作ハンドル、６は回路遮断器を閉路させるためのＯＮボタン、７は回路遮断器を開路させるためのＴＲＩＰボタン、８は駆動モータ２と手動操作ハンドル５の操作力を伝達するための主軸、９は主軸８と同軸に固着したカム、１０はカム９を介して主軸８の駆動力を伝達する駆動レバー、１１はカム９に係合すると共に駆動レバー１０に回転自在に取り付けられたローラ、１３は駆動レバー９に固着された作動ピン、１２は作動ピン１３に係合された操作トッテである。
【０００５】
上記従来装置の手動操作モードを説明する。先ず切換レバー３を矢印Ｂ１方向にスライドさせると、切換スイッチ４が開路し、手動操作モードに設定される。
手動操作ハンドル５をＣ方向（図８右端）に往復動させると、主軸８が回転する。すると、カム９を介して駆動レバー１０が回動し、作動ピン１３が操作トッテ１２を動作させて、回路遮断器を開路する。また、ＯＮボタン６を押すと駆動レバー１０の回動時にローラ１１によって蓄圧された図示しない蓄勢バネの作用により回路遮断器が閉路する。また、ＴＲＩＰボタン７を押すことで図示しない引きはずし装置がトリップ動作（過電流通電による動作と同じ）し、回路遮断器が開路する。
【０００６】
上記従来装置の電動操作モードを説明する。切換レバー３を矢印Ｂ２方向にスライドさせると切換スイッチ４が閉路し、電動操作モードに設定される。この場合の操作は、遠隔制御により駆動モータ２を動作させ主軸８を回転させることにより、回路遮断器を開路又は閉路させる。一方、切換レバー３を矢印Ｂ２方向にスライドさせることで、ＯＮボタン６に配設された係合部６ａおよびＴＲＩＰボタン７に配設された係合部７ａにそれぞれ切換レバー３が係合する。このため、ＯＮボタン６およびＴＲＩＰボタン７は切換レバー３にそれらの動きが拘束され、操作ができなくなる。他方、手動操作ハンドル５については、切換レバー３に何ら拘束されるような構造を有しないため、自由に操作が行える状態にある。
【０００７】
【発明が解決しようとする課題】
ところが、上記従来装置では、電動操作モードで駆動モータ２の駆動力による回路遮断器を遠隔操作しているときにも、手動操作ハンドル５は切換レバー３に拘束されないため、操作を行うことが可能であり、操作を行うと電動操作装置１を構成する駆動モータ２がロックされて破損するという問題があった。
【０００８】
本発明は、上述の問題点を解決するために案出されたもので、電動操作モードにおいて、ＯＮボタンやＴＲＩＰボタンだけでなく手動操作ハンドルをも同時に拘束して操作できなくなるようにし、これにより電動操作装置が破損することなく、信頼性の高い動作を確保できる回路遮断器の電動操作装置を提供することを目的とする。
【０００９】
【課題を解決するための手段】
この発明によれば、上述の課題を解決するための手段は次の通りである。
（１）本発明の回路遮断器の電動操作装置は、回路遮断器の電動操作装置筐体の操作盤に、電動操作モードと手動操作モードとを選択的に切り換える切換レバーを設け、前記電動操作モード時駆動モータの駆動力で前記回路遮断器を開閉路操作し、前記手動操作モード時手動操作ハンドルの駆動力で前記回路遮断器を開閉路操作する回路遮断器の電動操作装置であって、前記切換レバーを前記電動操作モードに対応する電動操作モード位置と、前記手動操作モードに対応する手動操作モード位置とに亘って移動するように形成する一方、前記切換レバーが前記手動操作モード位置にあるとき前記手動操作ハンドルの操作は許容されるが、前記電動操作モード位置にあるとき前記手動操作ハンドルに係合して該手動操作ハンドルの操作を拘束する阻止部を前記切換レバーに設けたものである。
【００１０】
（２）また、前記操作盤に、前記手動操作モード時において前記回路遮断器を閉路させるＯＮボタンと、前記回路遮断器を開路させるＴＲＩＰボタンとを設けると共に、前記切換レバーを前記電動操作モードに切り替えたとき、前記ＯＮボタンおよび前記ＴＲＩＰボタンに係合して該ＯＮボタンおよび該ＴＲＩＰボタンの操作を拘束する第一係合部および第二係合部を前記切換レバーに設けることもできる。
【００１１】
（３）また、前記切換レバーに、該切換レバーの切換操作時に操作する操作つまみと、前記阻止部と、前記第一係合部と、前記第二係合部とを一体的に形成することもできる。
【００１２】
（４）また、前記切換レバーの近傍に、該切換レバーの移動に応動して前記駆動モータへの電流供給を制御する切換スイッチを設け、前記切換レバーが前記電動操作モード位置にあるとき前記駆動モータへの電流供給をし、前記手動操作モード位置にあるとき前記駆動モータへの電流供給をしないようにすることもできる。
【００１３】
（５）更に、前記手動操作レバーは、蓄圧手段を作動する蓄圧手段作動軸に設けられた第一リンクと、該第一リンクに枢着され常時前記電動操作装置筐体に格納される方向に付勢するバネを介して設けた第二リンクとで形成され、前記手動操作ハンドル操作時、前記第一リンクは前記バネの付勢力に抗して前記第第二リンクに係合するまで回動される第一回動範囲と、前記第二リンクと一体になって前記蓄圧手段作動軸を駆動させる第二回動範囲とに亘って回動されるように形成することもできる。
【００１４】
【発明の実施の形態】
実施の形態１．
以下、本発明を図１乃至図７に示した一実施の形態に基づいて詳述するが、上記従来装置と同一あるいは均等の部材や部分にはこれに使用されたと同一の符号を付して説明することとする。
【００１５】
図において、符号１は電動操作装置、１００は電動操作装置１の背面に設けられた回路遮断器、１０１は電動操作装置１の筐体である。筐体１０１の内部には回路遮断器１００を電動で操作させるために配設された駆動モータ２と、切換レバー３と、切換レバー３に近接して設けられ駆動モータ２への電流供給を制御する切換スイッチ４と、回路遮断器１００を閉路させるためのＯＮボタン６と、回路遮断器１００をトリップ動作させるためのＴＲＩＰボタン７と、駆動モータ２で発生した駆動力を伝達する伝達ギヤ部７０と、機構部８０と、回路遮断器１００を手動で操作させるための手動操作ハンドル５を有する手動操作ハンドル装置３０とが内蔵されている。
【００１６】
筐体１０１の前面には各種操作部材の移動を案内しかつ支持する案内窓３１，５１，６１，７１を穿設した操作盤１０２（図７では図示しない）が設けられる。これら案内窓には、電動操作モード操作時には駆動モータ２に電流を供給し、手動操作モード操作時には駆動モータ２に電流供給を行わなくする切換スイッチ４を切り換えるための切換レバー３，手動操作ハンドル装置３０を操作する手動操作ハンドル５，ＯＮボタン６、およびＴＲＩＰボタン７等の操作部材が配設される。すなわち、切換レバー３に形成した操作つまみ３ａは案内窓３１に対して上下方向に移動し、上方に移動することで切換レバー３を電動操作モード位置に、また下方に移動することで切換レバー３を手動操作モード位置にスライドできる。手動操作ハンドル５は、その外表面が操作盤１０２の表面と略同じ面をなす状態で案内窓５１に格納され、手動操作ハンドル５を操作するときには格納状態から外方へ回動して展開するのを案内する。ＯＮボタン６およびＴＲＩＰボタン７は各案内窓６１、７１に対して前後方向に押し込むのを案内する。１２は回路遮断器１００の開閉器（図示しない）を開閉させる操作トッテ、１３および１４は機構部８０を構成し操作トッテ１２を上下方向（図２）に往復動する作動ピンである。
【００１７】
切換レバー３は、例えば熱可塑性樹脂成形により略Ｌ字状に形成されたもので、この切換レバー３をスライドさせるための上記した操作つまみ３ａの他に、段差部３ｂ、ＯＮボタン６に係合することでＯＮボタン６の操作を拘束する第一係合部３ｃ、ＴＲＩＰボタン７に係合することでＴＲＩＰボタン７の操作を拘束する第二係合部３ｄ、および手動操作ハンドル５に係合することで手動操作ハンドルの駆動を拘束する阻止部３ｅが一体的に形成される。
【００１８】
段差部３ｂは切換レバー３の背部に穿設され、切換スイッチ４のレバー４ａと係合させることで切換スイッチ４を入切させる。図３に示すように切換レバー３の操作つまみ３ａが案内窓３１を矢印Ｄ方向に移動する電動操作モード位置では、これに応動してレバー４ａが段差部３ｂにはまり込んで切換スイッチ４が入り、駆動モータ２へ電流を供給できる状態になる。また、図６では操作つまみ３ａを矢印Ｅ方向に移動させて切換レバー３を手動操作モード位置にすることで、これに応動してレバー４ａを段差部３ｂから解脱させ、切換スイッチ４が切れ、駆動モータ２への電流供給は行われない。
【００１９】
第一係合部３ｃ、第二係合部３ｄおよび阻止部３ｅは、切換レバー３が電動操作モードに切り替わると、操作盤１０２からみてＯＮボタン６，ＴＲＩＰボタン７および手動操作ハンドル５の先端部５ａの背面側に切換レバー３が進入することで切換レバー３との間で重なり合う部分（図２の斜線で示す）ができ、各ボタン６，７の押し込み操作および手動操作ハンドル５の駆動操作（図４）を拘束し、各操作をできなくする。逆に、切換レバー３を手動操作モードに切り換えると、第一係合部３ｃ、第二係合部３ｄおよび阻止部３ｅはＯＮボタン６，ＴＲＩＰボタン７および手動操作ハンドル５の先端部５ａから退出して係合が解除され、各ボタン６，７および手動操作ハンドル５の操作が可能となる。
【００２０】
手動操作ハンドル５を説明する。手動操作ハンドル５は、図４，図７のように図示しない蓄勢バネのごとき蓄圧手段を作動せしめる蓄圧手段作動軸５２に結合された第一リンク５３と、この第一リンク５３にピン５４を介して枢着される第二リンク５５と、第一、第二両リンク５３，５５の間に介装され第二リンク５５を常時時計方向に回動するように付勢するバネ５６と、第二リンク５５に形成され第一リンク５３に係合する突起部５７と、蓄圧手段作動軸５２に同軸に設けられたラチェットホィール５８と、第一リンク５３に枢着されラチェットオィール５８の歯部に噛合するポール５９からなる。このポール５９には上記バネ５６の端部が係合し、常時ポール５９を反時計方向に回動付勢するが、このバネ５６に抗してポール５９が時計方向に強制的に回動されることで、ラチェットホィール５８から逃げることができる。なお、６０はポール５９が時計方向へ強制的に回動するのを許容する長孔を示す。
【００２１】
また、手動操作ハンドル５はその操作を拘束された図４、図５に示す格納状態から図７に示すように拘束が解除されて操作可能な状態になったときは、第二レバー５５をバネ５６の付勢力に抗してピン５４の周りに時計方向に回し、突起部５７が第一レバー５３に当接する。こうして第一回動範囲Ｆ１だけ回ったのち、第二レバー５５を第一レバー５３と一体になった状態で蓄圧手段作動軸５２の周りにさらにストッパに当たるまで回動させると、第二回動範囲Ｆ２だけ回動する。ラチェットホィール５８とポール５９との噛合作用を利用して第二回動範囲Ｆ２内で回動操作を繰り返すことで、蓄圧手段へ駆動力によるエネルギを蓄圧できる。
【００２２】
上記一実施の形態の動作を説明する。先ず、回路遮断器１００を閉路状態から開路状態へ、または開路状態から閉路状態への切換を電動で操作する場合、すなわち電動操作モードについて図２乃至図４を参照して説明する。
切換レバー３の操作つまみ３ａを矢印Ｄ方向にスライドさせる（図３）と、切換レバー３は電動操作モード位置に移動する一方、切換レバー３の段差部３ｂに切換スイッチ４のレバー４ｂが落ち込み、切換スイッチ４は駆動モータ２に電流を供給するように切り換えられる。
【００２３】
同時に、切換レバー３に一体的に形成された第一係合部３ｃおよび第二係合部３ｄはそれぞれＯＮボタン６およびＴＲＩＰボタン７に進出して重なり合う。また手動操作ハンドル５の先端部５ａにも、阻止部３ｅが進出して重なる状態となる（図２の斜線部）。こうして、ＯＮボタン６，ＴＲＩＰボタン７および手動操作ハンドル５は第一係合部３ｃ、第二係合部３ｄおよび阻止部３ｅにそれぞれ係合するこになって、拘束され、操作ができない状態となる。この状態において遠隔操作により駆動モータ２を駆動させ、発生した駆動力が伝達ギヤ７０により機構部８０へ伝達される。そして機構部８０の作動ピン１３，１４で操作トッテ１２を上下方向（図２）に移動させて、回路遮断器１００を開路または閉路させる。
【００２４】
次に、回路遮断器１００を閉路状態から開路へ、または開路状態から閉路状態への切り換えを手動で操作する場合、すなわち手動操作モードについて、図５乃至図７を参照して説明する。切換レバー３の操作つまみ３ａを矢印Ｅ方向（図６）にスライドさせると、切換レバー３は手動操作モード位置に移動する。このとき、切換スイッチ４のレバー４ａは切換レバー３の段差部３ｂから外れ、切換レバー４は駆動モータ２に電流を供給しないように切り替わる。
【００２５】
同時に、切換レバー３の第一係合部３ｃおよび第二係合部３ｄはＯＮボタン６およびＴＲＩＰボタン７から後退して係合しなくなる。他方、切換レバー３の阻止部３ｅも手動操作ハンドル５の先端部５ａから後退して係合が解除される。こうして、ＯＮボタン６，ＴＲＩＰボタン７および手動操作ハンドル５の操作ないしは駆動が可能な状態となる。このため、ＯＮボタン６を押すと、図示しない蓄勢バネの作用により回路遮断器が閉路し、ＴＲＩＰボタン７を押すことで図示しない引きはずし装置がトリップ動作し、回路遮断器が開路する。
【００２６】
また、手動操作ハンドル５は第二レバー５５を第一レバー５３と一体にして操作できる状態にして第二回動範囲Ｆ２の範囲内で往復動させることで（図７）、蓄圧手段作動軸５２を駆動し、図示しない蓄勢バネを蓄圧すると共に、作動ピン１３により回路遮断器１００の操作トッテ１２を動作させて、回路遮断器を開路することができる。なお、この手動操作モードにおいては、ＯＮボタン６、ＴＲＩＰボタン７または手動操作ハンドル５の操作中に、遠隔操作によって駆動モータ２を作動させようとしても、すでに切換スイッチ４の切り換え作用により駆動モータ２への電流供給は行われないため、電動操作を確実に阻止できる。
【００２７】
このように、この実施の形態によれば、電動操作モードで操作してる最中に、ＯＮボタン６やＴＲＩＰボタン７だけでなく、手動操作ハンドル５の操作をも確実に阻止するため、電動操作装置１の破損を招来することを回避でき、ひいては信頼性に富んだ回路遮断器の電動操作装置を得ることができる効果を有する。また、切換レバーに第一係合部３ｃ、第二係合部３ｄ、および阻止部３ｅを一体的に形成したため、電動操作装置の構造を簡素化できる点で有利となる。
【００２８】
さらに、切換レバー３に応動する切換スイッチ４により、手動操作モードにおいて、誤って遠隔操作により駆動モータ２が作動されようとしても、駆動モータへは電流が通じないため駆動されることがなく、誤作動を回避できる効果を有する。さらに、手動操作ハンドル５は、第一レバー５３と第二レバー５５とで屈折するようにピン結合して形成したため、手動操作ハンドルを筐体１０１内に収納するスペースを小さくでき、電動操作操作００の形状を小型化できる効果もある。
【００２９】
以上、この実施の形態を具体的に詳述してきたが、具体的な構成はこの形態に限られるものではなく、本発明の要旨を逸脱しない範囲の設計変更等があっても本発明に含まれる。例えば、切換レバー３は図２において上下方向にスライドさせて電動操作装置１を操作したが、切換レバー３を左右方向にスライドさせるように構成することもできる。また、切換レバー３の形状はＬ字状であったが、これ以外の形状に形成してもよいことは勿論可能である。
【００３０】
【発明の効果】
以上の如く本発明の回路遮断器の電動操作装置による効果は次の通りである。
（１）切換レバーが電動操作モード位置にあるとき、切換レバーに設けられた阻止部が電動操作装置筐体に格納された手動操作ハンドルに係合可能となる位置に進出するので、該手動操作ハンドルが操作されようとしても、この阻止部が該ハンドルに係合するため、手動操作ハンドルの操作が拘束される。このため、電動操作モードにおいて手動操作ハンドルの操作を確実に阻止でき、電動操作装置の破損を未然に回避し、信頼性の高い回路遮断器の電動操作装置を得ることができる効果を奏する。
【００３１】
（２）また、操作盤に設けられたＯＮボタンとＴＲＩＰボタンの操作を拘束するために、切換レバーに第一係合部と第二係合部とを設けたので、切換レバーを電動操作モードに切り換えたとき、これら第一、第二両係合部がＯＮボタンとＴＲＩＰボタンとに係合するため、ボタン操作を拘束して誤操作を回避でき、電動操作モードにおける遠隔操作を円滑に行える効果を奏する。
【００３２】
（３）また、切換レバーに操作つまみと、阻止部と、第一係合部と、第二係合部とを一体的に形成したので、それだけ切換レバーの構造が簡単になり、ひいては電動操作装置の構造が簡素となる効果を奏する。
【００３３】
（４）また、駆動モータへの電流供給を制御する切換スイッチを切換レバー近傍に設けて切換レバーの移動に応動して切換スイッチが作動するようにし、前記切換レバーが前記電動操作モード位置にあるとき前記駆動モータへの電流供給をするが、前記手動操作モード位置にあるとき前記駆動モータへの電流供給を停止することで、手動操作モードで操作している場合に誤って遠隔操作により駆動モータを駆動させようとしても、切換スイッチが切れているため電動操作は阻止される。このため、手動操作モードを円滑に実行できる効果を奏する。
【００３４】
（５）更に、手動操作モードで手動操作ハンドルを操作する場合、第一回動範囲で第一リンクをバネの付勢力に抗して第二リンクの周りに回動させ、次いで第二回動範囲で第一リンクと一体になった第二リンクを回動させて蓄圧手段作動軸を駆動する。こうして手動操作ハンドルは第一、第二両リンクで屈折するように電動操作装置筐体に格納されるため、それだけ格納スペースを小さくでき、ひいては電動操作装置を小型化できる効果を奏する。
【図面の簡単な説明】
【図１】  この発明の一実施の形態における電動操作装置を具えた回路遮断器の外観斜視図である。
【図２】  図１の電動操作装置が電動操作モードにあるとき、この電動操作装置の内部を透視した正面図である。
【図３】  図２の電動操作装置の左側面の断面図である。
【図４】  図２の電動操作装置の右側面の断面図である。
【図５】  図１の電動操作装置が手動操作モードにあるとき、この電動操作装置の内部を透視した正面図である。
【図６】  図５の左側面の断面図である。
【図７】  図５の右側面の断面図である。
【図８】  従来装置における回路遮断器の電動操作装置の外観斜視図である。
【図９】  図８のＡ−Ａ線における矢視断面図である。
【符号の説明】
１  電動操作装置、２  駆動モータ、３  切換レバー、３ａ  操作つまみ、３ｂ  段差部、３ｃ  第一係合部、３ｄ  第二係合部、３ｅ  阻止部、４  切換スイッチ、５  手動操作ハンドル、６  ＯＮボタン、７  ＴＲＩＰボタン、５２  蓄圧手段作動軸、５３  第一リンク、５５  第二リンク、５６  バネ、Ｆ１  第一回動範囲、Ｆ２  第二回動範囲。
【図１】
0004443025.tif 000002
【図２】
0004443025.tif 000003
【図３】
0004443025.tif 000004
【図４】
0004443025.tif 000005
【図５】
0004443025.tif 000006
【図６】
0004443025.tif 000007
【図７】
0004443025.tif 000008
【図８】
0004443025.tif 000009
【図９】
0004443025.tif 000010